(57)【要約】  通信装置において多数の同時無線接続を制御するための方法が提供される。多数の同時無線接続の制御が通信装置において実行される。無線接続間の干渉を最小にするように無線接続のパラメータが制御される。【選択図】図２
2008521309.tif 000002
【特許請求の範囲】
【請求項１】
少なくとも１つの既存の無線接続をもつ通信装置に新たな無線接続を形成する方法において、
前記既存の無線接続及び前記新たな無線接続が互いに干渉するかどうか決定するステップ(406, 412)と、
前記既存の無線接続及び前記新たな無線接続が互いに干渉する場合には前記既存の無線接続と前記新たな無線接続との間の干渉を最小にするパラメータで前記新たな無線接続を形成するステップ(410)と、
を備えたことを特徴とする方法。
【請求項２】
前記１つ又は複数の既存の無線接続及び前記新たな無線接続は、少なくとも２つの異なる無線アクセス技術を使用する、請求項１に記載の方法。
【請求項３】
前記新たな無線接続が前記既存の接続と同じ無線リソースを使用しないように前記新たな接続のパラメータを定義するステップ(410)を更に備えた、請求項１に記載の方法。
【請求項４】
前記新たな無線接続が前記既存の無線接続と同時にデータを送信又は受信しないように前記新たな接続のパラメータを定義する(410)、請求項３に記載の方法。
【請求項５】
前記新たな無線接続が前記既存の無線接続と同じ周波数帯域でデータを送信又は受信しないように前記新たな接続のパラメータを定義する(410)、請求項３に記載の方法。
【請求項６】
前記方法は、更に、
前記新たな接続と前記既存の接続との間の干渉が許容レベルである状態で前記既存の接続と同じ無線リソースを少なくとも部分的に前記新たな接続に割り当てられるかどうか決定するステップ(412)と、
前記新たな接続及び前記既存の接続に同じ無線リソースが少なくとも部分的に割り当てられると決定された場合には、前記新たな無線接続が前記既存の無線接続と同じ無線リソースを少なくとも部分的に使用するように前記新たな接続のパラメータを定義するステップ(416)と、
を備えた請求項１に記載の方法。
【請求項７】
前記既存の無線接続及び前記新たな無線接続が同じ無線アクセス技術を使用する、請求項１に記載の方法。
【請求項８】
前記方法は、更に、前記新たな無線接続と前記既存の無線接続との間の干渉を最小にするように前記既存の無線接続のパラメータを調整するステップ(408)を備えた、請求項１に記載の方法。
【請求項９】
前記既存の無線接続及び新たな無線接続が互いに干渉するかどうか決定する前記ステップは、前記既存の無線接続及び前記新たな無線接続の特性に関する事前情報に基づく、請求項１に記載の方法。
【請求項１０】
前記既存の無線接続及び新たな無線接続が互いに干渉するかどうか決定する前記ステップは、前記既存の無線接続の検出又は測定された特性に基づく、請求項１に記載の方法。
【請求項１１】
通信装置において多数の同時に動作する無線接続を制御するための方法であって、
少なくとも２つの無線接続間の干渉を検出するために無線接続の特性を監視するステップ(504)と、
少なくとも２つの無線接続間の干渉が検出された場合に少なくとも２つの無線接続間の干渉を最小にするように少なくとも２つの無線接続のうちの少なくとも一方の無線接続のパラメータを調整するステップ(512)と、
を備えたことを特徴とする方法。
【請求項１２】
前記方法は、更に、少なくとも２つの無線接続間の干渉を検出するために無線接続の性能を表わす特性を監視するステップ(504, 506)を備えた、請求項１１に記載の方法。
【請求項１３】
前記方法は、更に、少なくとも２つの無線接続が同じ無線リソースを使用しないように少なくとも１つの既存の無線接続のパラメータを調整するステップ(512)を備えた、請求項１１に記載の方法。
【請求項１４】
前記方法は、更に、互いに干渉する少なくとも２つの無線接続に対して充分な無線リソースが利用できない場合に、互いに干渉する少なくとも２つの無線接続が同じ無線リソースを少なくとも部分的に使用するように、少なくとも１つの無線接続のパラメータを調整するステップ(512)を備えた、請求項１１に記載の方法。
【請求項１５】
前記方法は、更に、無線接続が干渉を持続するように同じ無線リソースを少なくとも部分的に使用する無線接続のパラメータを調整するステップ(512)を備えた、請求項１４に記載の方法。
【請求項１６】
前記方法は、更に、互いに干渉する少なくとも２つの無線接続が同時に動作するように構成できない場合に少なくとも１つの無線接続を終了するか又はスタンバイ状態に入れるステップ(516)を備えた、請求項１１に記載の方法。
【請求項１７】
少なくとも１つの無線接続を与えるための少なくとも１つの通信インターフェイス(110, 112, 114)と、既存の無線接続として少なくとも１つの無線接続を形成すると共に、新たな無線接続を形成するための要求を処理するように構成された制御ユニット(104)とを備えた通信装置(100)において、
前記制御ユニット(104)は、更に、既存の無線接続及び新たな無線接続が互いに干渉するかどうか決定し、そして既存の無線接続及び新たな無線接続が互いに干渉する場合は、既存の無線接続と新たな無線接続との間の干渉を最小にするパラメータで新たな無線接続を形成するように構成されたことを特徴とする通信装置(100)。
【請求項１８】
前記制御ユニット(104)は、更に、少なくとも２つの異なる無線アクセス技術を使用する無線接続を形成するように構成される、請求項１７に記載の通信装置。
【請求項１９】
前記制御ユニット(104)は、更に、前記新たな無線接続が前記既存の無線接続と同じ無線リソースを使用しないように前記新たな無線接続のパラメータを定義するように構成される、請求項１７に記載の通信装置。
【請求項２０】
前記制御ユニット(104)は、更に、前記新たな無線接続が、前記既存の無線接続と同時にデータを送信又は受信しないように、前記新たな接続のパラメータを定義するように構成される、請求項１９に記載の通信装置。
【請求項２１】
前記制御ユニット(104)は、更に、前記新たな無線接続が、前記既存の無線接続と同じ周波数帯域でデータを送信又は受信しないように、前記新たな接続のパラメータを定義するように構成される、請求項１９に記載の通信装置。
【請求項２２】
前記制御ユニット(104)は、更に、前記新たな接続と前記既存の接続との間の干渉が許容レベルである状態で前記既存の接続と同じ無線リソースを少なくとも部分的に前記新たな接続に割り当てられるかどうか決定し、そして前記新たな接続及び前記既存の接続に同じ無線リソースが少なくとも部分的に割り当てられると決定された場合には、前記新たな無線接続が前記既存の無線接続と同じ無線リソースを少なくとも部分的に使用するように前記新たな接続のパラメータを定義するよう構成された、請求項１７に記載の通信装置。
【請求項２３】
前記制御ユニット(104)は、更に、同じ無線アクセス技術を使用する無線接続を形成するように構成される、請求項１７に記載の通信装置。
【請求項２４】
前記制御ユニット(104)は、更に、前記新たな接続と前記既存の接続との間の干渉を最小にするように前記既存の無線接続のパラメータを調整するよう構成される、請求項１７に記載の通信装置。
【請求項２５】
前記制御ユニット(104)は、更に、前記既存の無線接続及び前記新たな無線接続が互いに干渉するかどうかを、前記既存の無線接続及び前記新たな無線接続の特性に関する事前情報に基づいて決定するように構成される、請求項１７に記載の通信装置。
【請求項２６】
前記制御ユニット(104)は、更に、前記既存の無線接続及び前記新たな無線接続が互いに干渉するかどうかを、前記既存の無線接続の検出又は測定された特性に基づいて決定するように構成される、請求項１７に記載の通信装置。
【請求項２７】
無線接続を与えるための通信インターフェイス(110, 112, 114)を備えた通信装置(100)において、
少なくとも２つの無線接続間の干渉を検出するために無線接続の特性を監視すると共に、少なくとも２つの無線接続間の干渉が検出された場合に少なくとも２つの無線接続間の干渉を最小にするように少なくとも２つの無線接続の少なくとも一方の無線接続のパラメータを調整するように構成された制御ユニット(104)を更に備えたことを特徴とする通信装置(100)。
【請求項２８】
前記制御ユニット(104)は、更に、少なくとも２つの無線接続間の干渉を検出するために無線接続の性能を表わす特性を監視するように構成される、請求項２７に記載の通信装置。
【請求項２９】
前記制御ユニット(104)は、更に、少なくとも２つの無線接続が同じ無線リソースを使用しない仕方で少なくとも２つの無線接続のうちの少なくとも１つの無線接続のパラメータを調整するように構成される、請求項２７に記載の通信装置。
【請求項３０】
前記制御ユニット(104)は、更に、互いに干渉する少なくとも２つの無線接続に対して充分な無線リソースが利用できない場合に、互いに干渉する無線接続が同じ無線リソースを少なくとも部分的に使用するように、少なくとも２つの無線接続のうちの少なくとも１つの無線接続のパラメータを調整するよう構成される、請求項２７に記載の通信装置。
【請求項３１】
前記制御ユニット(104)は、更に、無線接続が干渉を持続するように同じ無線リソースを少なくとも部分的に使用する無線接続のパラメータを調整するよう構成される、請求項３０に記載の通信装置。
【請求項３２】
前記制御ユニット(104)は、更に、互いに干渉する接続が同時に動作するように配列できない場合に少なくとも１つの接続を終了するか又はスタンバイ状態に入れるよう構成される、請求項２７に記載の通信装置。
【請求項３３】
無線接続を与えるための通信手段と、
無線接続を既存の無線接続として形成する手段と、
新たな無線接続を形成する要求を処理する手段と、
前記既存の無線接続及び新たな無線接続が互いに干渉するかどうか決定する手段と、
前記既存の無線接続及び新たな無線接続が互いに干渉する場合に前記既存の無線接続と前記新たな無線接続との間の干渉を最小にするパラメータで前記新たな無線接続を形成する手段と、
を備えた通信装置。
【請求項３４】
無線接続を与えるための通信手段と、
少なくとも２つの無線接続間の干渉を検出するために無線接続の特性を監視するための手段と、
少なくとも２つの無線接続間の干渉が検出された場合には少なくとも２つの無線接続間の干渉を最小にするように少なくとも２つの無線接続のうちの少なくとも１つの無線接続のパラメータを調整するための手段と、
を備えた通信装置。
【請求項３５】
少なくとも１つの既存の無線接続をもつ通信装置に新たな無線接続を形成するためのコンピュータプロセスを実行するインストラクションのコンピュータプログラムをエンコードするコンピュータプログラム製品において、前記プロセスは、
既存の無線接続及び新たな無線接続が互いに干渉するかどうか決定し(406)、そして
既存の無線接続及び新たな無線接続が互いに干渉する場合には既存の無線接続と新たな無線接続との間の干渉を最小にするパラメータで新たな無線接続を形成する(410)、
ことを含むコンピュータプログラム製品。
【請求項３６】
コンピュータにより読み取り可能で、且つ少なくとも１つの既存の無線接続をもつ通信装置に新たな無線接続を形成するためのコンピュータプロセスを実行するインストラクションのコンピュータプログラムをエンコードするコンピュータプログラム配布媒体において、前記プロセスは、
既存の無線接続及び新たな無線接続が互いに干渉するかどうか決定し(406)、そして
既存の無線接続及び新たな無線接続が互いに干渉する場合には既存の無線接続と新たな無線接続との間の干渉を最小にするパラメータで新たな無線接続を形成する(410)、
ことを含むコンピュータプログラム配布媒体。
【請求項３７】
前記配布媒体は、次の少なくとも１つ、即ちコンピュータ読み取り可能な媒体、プログラム記憶媒体、記録媒体、コンピュータ読み取り可能なメモリ、コンピュータ読み取り可能なソフトウェア配布パッケージ、コンピュータ読み取り可能な信号、コンピュータ読み取り可能なテレコミュニケーション信号、及びコンピュータ読み取り可能な圧縮型ソフトウェアパッケージを含む、請求項３６に記載のコンピュータプログラム配布媒体。
【請求項３８】
通信装置において多数の同時に動作する無線接続を制御するためのコンピュータプロセスを実行するインストラクションのコンピュータプログラムをエンコードするコンピュータプログラム製品において、前記プロセスは、
少なくとも２つの無線接続間の干渉を検出するために無線接続の特性を監視し(504)、そして
少なくとも２つの無線接続間の干渉が検出された場合にそれら無線接続間の干渉を最小にするように少なくとも２つの無線接続のうちの少なくとも一方の無線接続のパラメータを調整する(512)、
ことを含むコンピュータプログラム製品。
【請求項３９】
コンピュータにより読み取り可能で、且つ通信装置において多数の同時に動作する無線接続を制御するためのコンピュータプロセスを実行するインストラクションのコンピュータプログラムをエンコードするコンピュータプログラム配布媒体において、前記プロセスは、
少なくとも２つの無線接続間の干渉を検出するために無線接続の特性を監視し(504)、そして
少なくとも２つの無線接続間の干渉が検出された場合にそれら無線接続間の干渉を最小にするように少なくとも２つの無線接続の少なくとも一方の無線接続のパラメータを調整する(512)、
ことを含むコンピュータプログラム配布媒体。
【請求項４０】
前記配布媒体は、次の少なくとも１つ、即ちコンピュータ読み取り可能な媒体、プログラム記憶媒体、記録媒体、コンピュータ読み取り可能なメモリ、コンピュータ読み取り可能なソフトウェア配布パッケージ、コンピュータ読み取り可能な信号、コンピュータ読み取り可能なテレコミュニケーション信号、及びコンピュータ読み取り可能な圧縮型ソフトウェアパッケージを含む、請求項３９に記載のコンピュータプログラム配布媒体。
【発明の詳細な説明】
【技術分野】
【０００１】
本発明は、通信装置において多数の同時無線接続を制御することに係る。
【背景技術】
【０００２】
より柔軟性のある接続及びより広範囲のサービスを促進するために、移動通信装置において異なる無線の数が増加し続けている。もはやセルラーアクセスだけでは充分でなく、現在及び特に将来は、新規な接続解決策を可能にするために、新規なワイヤレス技術が通信装置に一体化される。しかしながら、多数の無線を単一のターミナルに一体化する場合に、無線の数が増加するにつれて益々顕著になる重大な一体化の課題が生じる。一体化の課題の１つの要素は、無線の同時動作を適切に取り扱うことである。ユーザは、ＧＳＭ電話コール中にワイヤレスＢｌｕｅｔｏｏｔｈ（登録商標）技術を用いたヘッドセットを使用したり、例えば、インターネットサーフィンのためにワイヤレスローカルエリアネットワーク（ＷＬＡＮ）接続を使用したりするのと同様に、異なる無線を同時に使用しようとすることが極めて明白である。
【０００３】
１つの通信装置から２つ以上の動作無線接続がある場合には、それらの接続がしばしば互いに干渉し得る。たとえそれらの接続が同じ周波数帯域で動作していなくても、通信装置のコンポーネントが理想的でないために、依然、互いに干渉し得る。それらのコンポーネントは、スペクトルの漏れを生じることがあり、又、受信器の選択性が理想的でないこともあり、これは、望ましい信号以外の信号に属する信号成分も受信し得ることを意味する。
【発明の開示】
【発明が解決しようとする課題】
【０００４】
同じ帯域で同時に動作する多数の接続がある場合、それらが互いに引き起こす干渉は、それらが別々の帯域で動作する場合より非常に甚だしいものとなる。特に、２．４ＧＨｚの未認可の工業、科学及び医療（ＩＳＭ）用帯域では、同じ帯域で同時に動作する多数の接続、例えば、Ｂｌｕｅｔｏｏｔｈ（登録商標）及びワイヤレスローカルエリアネットワーク（ＷＬＡＮ）接続がある。これらの接続は、互いにシステム間干渉を引き起こし、サービスクオリティの低下を招くことがある。同じ通信装置で動作している同じ帯域に２つのアクティブな接続がある場合には、これら２つの接続がしばしば互いに激しく干渉するか、又はそれらの接続が互いの使用を全く阻止してしまうことがある。これは、両方の接続が同じ通信装置から動作するものであり、従って、無線トランシーバーが互いに数センチメーター以内に配置されることがあるために起こる。又、それらが、例えば、アンテナのような同じ無線コンポーネントを使用することもある。
【課題を解決するための手段】
【０００５】
本発明の目的は、通信装置において多数の同時無線接続を制御するための解決策を提供することである。
【０００６】
本発明の１つの態様によれば、少なくとも１つの既存の無線接続をもつ通信装置に新たな無線接続を形成する方法が提供される。この方法は、既存の無線接続及び新たな無線接続が互いに干渉するかどうか決定するステップと、既存の無線接続及び新たな無線接続が互いに干渉する場合には既存の無線接続と新たな無線接続との間の干渉を最小にするパラメータで新たな無線接続を形成するステップとを備えている。
【０００７】
本発明の別の態様によれば、通信装置において多数の同時に動作する無線接続を制御するための方法が提供される。この方法は、少なくとも２つの無線接続間の干渉を検出するために無線接続の特性を監視するステップと、少なくとも２つの無線接続間の干渉が検出された場合に少なくとも２つの無線接続間の干渉を最小にするように少なくとも２つの無線接続の少なくとも一方の無線接続のパラメータを調整するステップとを備えている。
【０００８】
本発明の別の態様によれば、少なくとも１つの無線接続を与えるための少なくとも１つの通信インターフェイスと、既存の無線接続として少なくとも１つの無線接続を形成し、新たな無線接続を形成するための要求を処理し、既存の無線接続及び新たな無線接続が互いに干渉するかどうか決定し、そして既存の無線接続及び新たな無線接続が互いに干渉する場合には、既存の無線接続と新たな無線接続との間の干渉を最小にするパラメータで新たな無線接続を形成するよう構成された制御ユニットとを備えた通信装置が提供される。
【０００９】
本発明の別の態様によれば、無線接続を与えるための通信インターフェイスと、少なくとも２つの無線接続間の干渉を検出するために無線接続の特性を監視すると共に、少なくとも２つの無線接続間の干渉が検出された場合に少なくとも２つの無線接続間の干渉を最小にするように少なくとも２つの無線接続の少なくとも一方の無線接続のパラメータを調整するように構成された制御ユニットとを備えた通信装置が提供される。
【００１０】
本発明の更に別の態様によれば、少なくとも１つの既存の無線接続をもつ通信装置に新たな無線接続を形成するためのコンピュータプロセスを実行するインストラクションのコンピュータプログラムをエンコードするコンピュータプログラム製品が提供される。前記プロセスは、既存の無線接続及び新たな無線接続が互いに干渉するかどうか決定し、そして既存の無線接続及び新たな無線接続が互いに干渉する場合には既存の無線接続と新たな無線接続との間の干渉を最小にするパラメータで新たな無線接続を形成することを含む。
【００１１】
本発明の更に別の態様によれば、コンピュータにより読み取り可能で、且つ少なくとも１つの既存の無線接続をもつ通信装置に新たな無線接続を形成するためのコンピュータプロセスを実行するインストラクションのコンピュータプログラムをエンコードするコンピュータプログラム配布媒体が提供される。前記プロセスは、既存の無線接続及び新たな無線接続が互いに干渉するかどうか決定し、そして既存の無線接続及び新たな無線接続が互いに干渉する場合には既存の無線接続と新たな無線接続との間の干渉を最小にするパラメータで新たな無線接続を形成することを含む。
【００１２】
本発明の更に別の態様によれば、通信装置において多数の同時に動作する無線接続を制御するためのコンピュータプロセスを実行するインストラクションのコンピュータプログラムをエンコードするコンピュータプログラム製品が提供される。前記プロセスは、少なくとも２つの無線接続間の干渉を検出するために無線接続の特性を監視すると共に、少なくとも２つの無線接続間の干渉が検出された場合にそれら無線接続間の干渉を最小にするように少なくとも２つの無線接続の少なくとも一方の無線接続のパラメータを調整することを含む。
【００１３】
本発明の更に別の態様によれば、コンピュータにより読み取り可能で、且つ通信装置において多数の同時に動作する無線接続を制御するためのコンピュータプロセスを実行するインストラクションのコンピュータプログラムをエンコードするコンピュータプログラム配布媒体が提供される。前記プロセスは、少なくとも２つの無線接続間の干渉を検出するために無線接続の特性を監視すると共に、少なくとも２つの無線接続間の干渉が検出された場合にそれら無線接続間の干渉を最小にするように少なくとも２つの無線接続の少なくとも一方の無線接続のパラメータを調整することを含む。
【００１４】
本発明は、多数の効果を発揮する。本発明は、たとえ接続が周波数帯域のような同じ無線リソースを使用しても、１つの通信装置からの多数の無線接続の同時動作を可能にする。又、本発明は、無線アクセス技術に関わりなく、異なる無線接続を制御することができる。
【発明を実施するための最良の形態】
【００１５】
以下、添付図面を参照して、本発明の実施形態を詳細に説明する。
先ず、図１を参照して、多数の同時無線接続を使用する通信装置の構造を説明する。通信装置１００は、例えば、移動通信装置やコンピュータやラップトップやＰＤＡ（パーソナルデジタルアシスタント）のようなパーソナル通信装置でよい。又、通信装置１００は、コンピュータと、コンピュータに接続された移動通信装置のような、２つの電子装置の組み合せでもよい。ＰＤＡ及び移動通信装置の組み合せの一例が、ノキア・コミュニケーター（Ｎｏｋｉａ  Ｃｏｍｍｕｎｉｃａｔｏｒ（登録商標））である。
【００１６】
通信装置１００は、ワイヤレス無線接続を与えるために多数の通信インターフェイス１１０−１１４を備えている。これら通信インターフェイス１１０−１１４は、異なる無線アクセス技術を使用して接続を与えるように構成できる。ここに示す実施例において、通信インターフェイス１１０は、サービングＧＳＭベーストランシーバステーション１２２を通してＧＳＭ（移動通信用のグローバルシステム）システムとの通信リンク１１６を与える。又、通信インターフェイス１１４は、サービングＷＬＡＮアクセスポイント１２４とのＷＬＡＮ（ワイヤレスローカルエリアネットワーク）接続１１８を与える。
【００１７】
通信インターフェイス１１２は、Ｂｌｕｅｔｏｏｔｈ（登録商標）技術を使用して、ユーザインターフェイスコンポーネント１０６との別のワイヤレス接続１２０を与える。ユーザインターフェイスコンポーネント１０６は、例えば、マイクロホン、スピーカ、及び移動電話とのＢｌｕｅｔｏｏｔｈ（登録商標）接続用の通信インターフェイスを含む移動電話のヘッドセットでよい。又、ユーザインターフェイスコンポーネント１０６は、Ｂｌｕｅｔｏｏｔｈ（登録商標）リンクを経てコンピュータを動作するキーボード又はマウスでもよい。
【００１８】
上述した通信インターフェイス１１０−１１４は、無線接続１１６−１２０の動作中に通信装置１００の同じコンポーネントを一部分使用してもよい。通信インターフェイス１１０−１１４は、例えば、同じアンテナ（１つ又は複数）、高周波増幅器、及び／又は高周波数フィルタを使用してもよい。各通信インターフェイス１１０−１１４は、当然、それ自身のコンポーネントを有してもよいし、或いは通信インターフェイス１１０−１１４の幾つかだけが同じコンポーネントを使用してもよい。
【００１９】
図１の実施例では、３つの通信インターフェイス１１０−１１４が通信装置に設けられ、これらインターフェイス１１０−１１４は、各々、Ｂｌｕｅｔｏｏｔｈ（登録商標）接続１２０、ＧＳＭ接続１１６、及びＷＬＡＮ接続１１８を与える。しかしながら、本発明による通信装置は、通信装置における通信インターフェイスの数に限定されるものでもないし、通信インターフェイスが与えるワイヤレス通信技術に限定されるものでもないことが明らかであろう。従って、通信装置は、例えば、次の技術に基づいて接続を与える多数の通信インターフェイスを含んでもよい。即ち、ＧＳＭ、ＷＬＡＮ、Ｂｌｕｅｔｏｏｔｈ（登録商標）、ＷＣＤＭＡ（ワイドバンドコード分割多重アクセス）、ＧＰＲＳ（汎用パケット無線サービス）、ＥＤＧＥ（ＧＳＭ進化のための改善型データレート）、ＤＶＢ−Ｈ（ハンドヘルド装置用のデジタルビデオブロードキャスティング）、ＵＷＢ（ウルトラワイドバンド）、ＧＰＳ（グローバルポジショニングシステム）、ＣＤＭＡ２０００。又、他のワイヤレス通信技術を、本発明による通信装置において実施することもできる。
【００２０】
通信装置１００は、更に、装置１００のファンクションを制御するための制御ユニット１０４も備えている。この制御ユニット１０４は、通信装置１００と他の通信装置又はネットワークとの間に無線接続を形成する手段を備えている。又、制御ユニット１０４は、通信装置１００における多数の同時無線接続を制御するための手段も備えている。制御ユニット１０４は、適当なソフトウェア、又は個別のロジック回路、例えば、ＡＳＩＣ（特定用途向け集積回路）を伴うデジタル信号プロセッサで実施されてもよい。又、制御ユニット１０４は、ＡＳＩＣ内に適当なソフトウェアが埋め込まれたプロセッサのような、２つの実施の組み合せであってもよい。
【００２１】
通信装置１００は、更に、制御ユニットに接続されたユーザインターフェイス１０２を備えている。このユーザインターフェイス１０２は、キーボード、マイクロホン、スピーカ、ディスプレイ、及び／又はカメラを備えてもよい。
【００２２】
通信装置１００は、通常、装置１００を動作するための電流を供給する電源１０８を備えている。この電源は、例えば、充電型バッテリでよい。
【００２３】
図２は、通信装置１００のアーキテクチャーの一実施例を示す。このアーキテクチャーは、下位の層が上位の層にサービスを提供するＩＳＯ（国際標準化機構）のＯＳＩ（オープンシステムズインターコネクション）モデルのような積層形態で描かれている。
【００２４】
最上位の層には、無線接続を必要とするアプリケーション２００から２０４が設けられている。アプリケーション２００から２０４は、例えば、音声コール、ウェブ又はＷＡＰ（ワイヤレスアプリケーションプロトコル）ブラウザ、ｅメールクライアントを取り扱うアプリケーション、ＧＰＳナビゲーションアプリケーション、ゲームアプリケーション、又はメディアプレーヤアプリケーションでよい。又、通信装置１００は、他のアプリケーションを備えてもよい。アプリケーション２００−２０４が別の通信装置又はネットワークへの無線接続を必要とするときには、アプリケーションは、接続を確立するための要求を下位層へ送信する。接続の動作中に、アプリケーションは、そのアプリケーションに関連したデータを下位層へ送信して、接続を経て他の通信装置へ送信する。同様に、アプリケーションは、そのアプリケーションに関連したデータを、他の通信装置から、下位層を通る接続を経て受信する。接続を維持する必要性がもはや存在しないときには、アプリケーションは、接続を終了するための要求を下位層へ送信する。
【００２５】
下位層において、接続選択マネージャー２０６によりアプリケーション２００−２０４にサービスを提供することができる。接続選択マネージャー２０６は、そのデータベースに記憶された接続プロフィールのセットに基づいてアプリケーションに適した接続を選択することができる。例えば、ユーザ又はオペレータが接続プロフィールを定義してもよく、これらプロフィールは、ある基準、例えば、接続のスループット、ビットエラー率、又はコスト効率の最適化に基づいてもよい。接続選択マネージャー２０６は、通信装置１００のアーキテクチャーにおける任意の層である。というのは、アプリケーション２００−２０４は、それら自体により適当な接続を定義するように設計されてもよいからである。
【００２６】
次の下位層は、多無線コントローラ２０８である。この多無線コントローラ２０８は、上位層からの接続要求に基づいて無線接続を確立し、制御し、そして終了する。又、多無線コントローラ２０８は、多数の無線接続の同時動作を処理する役目も果たす。
【００２７】
多無線コントローラ２０８は、２重のエンティティでよい。第１に、上位層と通信する共通の制御要素２１０がある。これは、無線接続を形成及び終了するための要求をアプリケーション２００−２０４から受け取り、又はもし適用される場合には、接続選択マネージャー２０６から受け取る。又、共通制御要素２１０は、上位層から要求される無線接続の利用性をチェックし、無線接続を形成するプロセスをスタートするか、又はその要求された無線接続が現在利用できないことを上位層に通知することができる。又、共通制御要素２１０は、既存の無線接続と干渉する新たな無線接続が形成されるとき、又は共通制御要素２１０が既存の接続の特性の充分な変化を検出したときに、既存の接続のパラメータを調整することにより、多数の無線接続の同時動作を制御する役割も果たす。
【００２８】
又、多無線コントローラ２０８は、無線特有エンティティ２１２−２２４も備えている。各無線特有エンティティは、多無線コントローラ２０８の共通制御要素２１０と特定無線インターフェイスとの間のインターフェイスとみなすことができる。無線特有エンティティは、共通制御要素２１０から受け取ったパラメータに基づいて１つの無線接続を制御する役割を果たす。無線特有エンティティは、接続の物理層の近くにあって、変化する環境に素早く適応し、接続の高速制御を可能にする。各無線特有エンティティのファンクションは、無線システム特有であり、これは、共通制御要素２１０からのパラメータが無線システムの標準仕様に対して適用されることを意味する。又、無線特有エンティティは、それが制御する接続の測定された特性を共通制御要素２１０に供給することもできる。この接続の測定特性は、接続のビットエラー率（ＢＥＲ）、ブロックエラー率、又はフレームエラー率（ＦＥＲ）を含んでもよい。又、この測定特性は、チップ当たりの受信エネルギーを帯域内のノイズ電力密度で除算したもの（Ｅｃ／Ｎｏ）、干渉信号コード電力（ＩＳＣＰ）、受信信号コード電力（ＲＳＣＰ）、受信信号強度指示子（ＲＳＳＩ）、信号対干渉電力の比（ＳＩＲ）を含んでもよい。
【００２９】
多無線コントローラの一実施形態では、無線特有のエンティティが多無線コントローラに含まれない。むしろ、多無線コントローラは、各無線へのインターフェイスを与える外部エンティティへのインターフェイスをもつことができる。
【００３０】
図２において、無線特有エンティティ２１２−２２４の下には、通信インターフェイス２２６−２３８が設けられている。各通信インターフェイスは、使用する特定の物理的媒体において送信及び受信するのに適した電気的波形へとデータをエンコード及びデコードする役割を果たす。このプロセスは、各無線アクセス特有の規格に基づいて実行される。図２のアーキテクチャーは、ＥＤＧＥ、ＷＣＤＭＡ、ＷＬＡＮ、Ｂｌｕｅｔｏｏｔｈ（登録商標）、ＤＶＢ−Ｈ、ＵＷＢ及びＧＰＳ無線アクセス技術の物理層を使用するが、多無線コントローラの動作は、他のワイヤレス無線アクセス技術も制御するように構成できるので、これらの技術に限定されない。
【００３１】
次いで、多無線コントローラ２０８の共通制御要素２１０の構造を示す図３を参照して、通信装置における多無線コントローラ２０８の動作を詳細に説明する。共通制御要素２１０に加えて、図３は、共通制御要素２１０の動作を明確にするためにアプリケーション３００及び無線インターフェイス３１０も示している。
【００３２】
ブロック３００は、無線接続を必要とするアプリケーションを備えている。アプリケーション３００の動作は、上述したものと同じである。又、ブロック３００は、接続選択マネージャーが通信装置に適用される場合には、接続選択マネージャーも含む。
【００３３】
接続要求処理ブロック３０４は、アプリケーション又は接続選択マネージャーから到来する無線接続要求を処理する。接続要求処理ブロック３０４は、少なくとも、要求の有効性と、その要求に関連した無線リソースの利用性とをチェックする。要求の有効性のチェックは、要求された無線接続が通信装置において利用可能かどうかチェックすることを含む。無線リソースの利用性のチェックは、多数の無線接続のどれがどのように動作しているか、そして既存の接続の動作を悪化させたり又は崩壊したりせずに別の無線接続を確立できるかどうかチェックすることを含む。要求された接続が利用可能でありそしてそれを確立することができる場合には、接続要求処理ブロック３０４は、接続を形成するためのコマンドメッセージを接続パラメータマネージャー３０８へ送信する。接続の形成ができない場合には、接続要求処理ブロック３０４は、接続を要求したアプリケーション又は接続選択マネージャーに、要求された接続が現在利用できないことを通知する。
【００３４】
無線レコードブロック３０２は、通信装置に適用される無線接続の状態、パラメータ、及び特性に関する情報を含む。接続の状態は、接続が動作中か、利用可能か又はディスエイブルされたかを示す。接続が動作中であるときには、その特定の接続に関連した通信インターフェイスを使用して通信リンクが確立されており、そしてそのリンクを通してデータが搬送されている。接続が利用可能であるときには、その特定の接続に関連した通信リンクが確立されておらず、接続を確立するために無線リソースを利用できる。接続がディスエイブルされたときには、例えば、無線リソースがないために、接続が利用できない。又、無線接続の状態について２つの記述があってもよい。例えば、単一の通信インターフェイスを使用して多数の接続を確立できる場合には、無線レコードブロック３０２における接続の状態が「動作中」及び「利用可能」の両方であってもよい。
【００３５】
無線レコードブロック３０２に保持された接続のパラメータは、接続の中心周波数、並びに拡散コード、チャンネルコード、変調技術、電力レベル、タイミングパラメータ、データレート、パケット形式、リンク形式、自動繰り返し要求（ＡＲＱ）構成、等を含んでもよい。無線レコードブロック３０２に保持される接続の特性は、接続のＢＥＲ又はＦＥＲ、並びに接続の他の測定又は検出された特性を含んでもよい。
【００３６】
又、無線レコードブロック３０２は、通信装置に使用されている各無線アクセス技術に特有の全ての考えられるパラメータであって且つ現在使用されているものだけではないパラメータに関する情報を含んでもよい。この情報は、各無線アクセス技術の全ての考えられる周波数帯域、変調及びコード化機構、波形、等を含んでもよい。又、無線レコードブロック３０２は、接続の測定又は検出された非理想的なもの、例えば、無線信号のスペクトル漏れ又はスプリアス放射に関する情報を含んでもよい。この情報は、次いで、多数の同時に動作する無線接続を制御するときに使用することができる。
【００３７】
無線レコードブロック３０２は、接続の状態、パラメータ及び特性に関する情報を、接続要求処理ブロック３０４、接続パラメータマネージャー３０８、及び連続制御マネージャー３０６へ供給する。無線レコードブロック３０２は、状態、パラメータ及び特性に対する更新を、接続パラメータマネージャー及び連続制御マネージャーから受け取る。無線レコードブロック３０２は、図２の共通制御要素２１０に含まれる。
【００３８】
接続パラメータマネージャー３０８は、各接続の動作パラメータを決定する。新たな接続を形成するために接続要求処理ブロック３０４からコマンドを受け取ったときに、接続パラメータマネージャー３０８は、どの接続が動作するかチェックすると共に、その動作接続のパラメータをチェックする。接続パラメータマネージャー３０８が、新たな接続の動作に干渉し得るアクティブな接続がある（又はその逆のことも言える）ことを検出した場合には、接続パラメータマネージャー３０８は、２つの接続間の干渉をできるだけ少なくするように新たな接続のパラメータを定義する。
【００３９】
接続と接続との間に考えられる干渉の検出は、使用する無線リソース、利用可能な無線リソース、及び既存の接続のパラメータに関する情報に基づく。この情報は、無線レコードブロック３０２に含まれる。接続パラメータマネージャー３０８は、先ず、新たに要求される接続が使用するのと同じ無線リソースを使用する既存の動作接続が存在するかどうかチェックすることができる。これらの無線リソースは、周波数帯域、時間ドメイン、及び空間ドメインを含む。空間ドメインは、多数のアンテナと、アンテナ又はアンテナアレーからの無線ビームの方向を制御する能力とを含む通信装置における考えられる無線リソースである。２つの同時の無線接続が同じ周波数帯域で動作し、又、同時に送信／受信データが、異なる方向のみにあり／異なる方向のみから来ることが考えられる。
【００４０】
同じ無線リソースを使用する無線接続が存在しない場合には、新たな接続の形成が簡単である。というのは、接続パラメータマネージャー３０８が同じ無線リソースを共有するように多数の接続を構成する必要がないからである。接続パラメータマネージャー３０８は、接続に対するパラメータを単に定義し、接続を形成するためのコマンドを、それに対応する無線特有エンティティに送信する。
【００４１】
要求された新たな接続と同じ無線リソース（１つ又は複数）を使用する動作無線接続が存在する場合には、接続パラメータマネージャー３０８は、２つの接続間の干渉が最小になるように新たな接続に対するパラメータを定義することができる。又、接続パラメータマネージャー３０８は、同じ無線リソース（１つ又は複数）を使用する２つの接続間の干渉を最小にするように既存の接続のパラメータを調整することもできる。
【００４２】
次いで、形成する無線接続及び／又は既存の無線接続（１つ又は複数）のパラメータを定義し／調整する多数の例を説明する。形成する無線接続は、使用中の既存の無線接続（１つ又は複数）とは異なる無線アクセス技術を使用してもよい。これと同等のことであるが、形成する無線接続は、使用中の既存の無線接続（１つ又は複数）と同じ無線アクセス技術を使用してもよい。しかしながら、接続パラメータマネージャー３０８及び多無線コントローラ２０８の動作は、以下に示す実施例に限定されず、無線接続のパラメータを定義し／調整するための他の手順も考えられることが明らかであろう。
【００４３】
新たな無線接続を形成するときには、接続パラメータマネージャー３０８は、最初に、形成することが要求された新たな接続が使用するものと同じ周波数帯域を使用する既存の接続が存在するかどうかチェックすることができる。同じ周波数帯域に既存の接続が存在する場合には、接続マネージャーは、（もし可能であれば）２つの接続の周波数帯域が重畳しないように、形成する接続の周波数パラメータを定義する。例えば、Ｂｌｕｅｔｏｏｔｈ（登録商標）接続及びＷＬＡＮ接続は、同じ２．４ギガヘルツのＩＳＭ帯域で部分的に動作する。形成する接続がＢｌｕｅｔｏｏｔｈ（登録商標）であり、そして動作中のＷＬＡＮ接続が存在すると仮定する。Ｂｌｕｅｔｏｏｔｈ（登録商標）接続は、周波数ホッピング拡散スペクトル接続である。従って、接続パラメータマネージャー３０８は、Ｂｌｕｅｔｏｏｔｈ（登録商標）接続が、ＷＬＡＮ接続が使用している周波数へホッピングするのを防止することができる。Ｂｌｕｅｔｏｏｔｈ（登録商標）接続の周波数ホップの制限は、当然、Ｂｌｕｅｔｏｏｔｈ（登録商標）接続が存在しそして形成する接続がＷＬＡＮ接続であるときにも考えられる。又、周波数の重畳は、Ｂｌｕｅｔｏｏｔｈ（登録商標）及びＷＬＡＮ以外の接続間でも考えられ、それら他の接続の周波数パラメータは、適宜に調整することができる。
【００４４】
ある場合には、２つの接続の周波数帯域が、それらの接続を同じ周波数帯域で動作できるようにするにはあまりに重畳し過ぎることがある。接続パラメータマネージャー３０８が、既存の接続により使用されるものと同じ帯域を使用せずに新たな接続を形成できないことを検出した場合には、接続パラメータマネージャー３０８は、次いで、接続が同時にデータを搬送しないように２つの接続をスケジュールできるかどうかチェックする。もしそうであれば、２つの接続のスケジューリングを、通信装置において多無線コントローラ２０８により実行することができる。しかしながら、多くの通信システムでは、接続に割り当てられるデータ搬送に対して非常に厳密に定義されたタイムスロットが存在する。このような場合に、接続パラメータマネージャー３０８は、同じ帯域を使用する接続に対して割り当てられるタイムスロットが重畳しないように新たな接続の確立を遅延させることができる。
【００４５】
又、ある通信システムでは、通信装置が送信又は受信のタイミングを直接的又は間接的に制御することも考えられる。例えば、ＧＰＳシステムでは、ＧＰＳ受信器が受信のタイミングを判断することができる。パケット交換システムでは、受信器は、別の接続が同じ無線リソースを使用するときにパケット交換データを受信しないように選択することができる。受信器がその時間中に送信データパケットの受信に失敗した場合には、送信器が受信器から「パケット受信指示」を受け取らず、パケットを再送信する。これは、ほとんどのパケット交換システムにおける標準的な特徴である。
【００４６】
無線リソースとしての空間は、前記周波数帯域及び時間と同様に、接続と接続との間で分割することができる。同じ周波数帯域を使用する接続が存在し、及び／又は割り当てられたタイムスロットが全て使用中であるが、形成する接続が搬送するのと同じ方向へデータを搬送する接続がない場合には、同じ周波数帯域において同じタイムスロットで異なる方向のみにデータを搬送するように新たな接続を確立することができる。しかしながら、これは、通信装置から接続の方向を制御する能力を必要とする。又、通信装置は、多数の方向性アンテナ又はアンテナアレーを備えていなければならない。
【００４７】
ある場合には、２つの接続（既存の接続及び形成する接続）が、同じ無線リソースを完全ではなく少なくとも部分的に使用する以外ない。この場合には、接続パラメータマネージャー３０８は、新たな接続と既存の接続との間の干渉が許容レベルの状態で既存の接続と同じ無線リソースを少なくとも部分的に新たな接続に割り当てられるかどうか決定することができる。接続と接続との間の許容レベルの干渉とは、たとえ接続の有効データレートが減少されても接続が互いに妨げ合うことのない干渉レベルである。接続パラメータマネージャー３０８は、どの無線接続が同じ無線リソースを少なくとも部分的に共有するかの知識について無線レコード３０２をチェックすると共に、このような場合の接続のパラメータをチェックすることができる。２つの接続は、次いで、互いに干渉し、最悪の場合、互いの動作を完全に妨げることがある。このような場合には、接続ができるだけ多くの干渉を許容するように、接続の他のパラメータを調整することができる。このようなパラメータは、変調、コード（拡散コード及び／又はチャンネルコード）、インターリーブ、送信電力、及びデータレートを含む。接続の他のパラメータを調整してもよい。新たな接続のプライオリティが既存の接続より高い場合には新たな接続を形成するために既存の無線接続をスタンバイ状態に入れるか又は終了させることもでき、２つの接続が同時に動作することはできない。或いは又、新たな接続の形成が終了される。このような場合には、接続パラメータマネージャーは、接続の形成を要求したアプリケーション／接続マネージャーに、その要求された接続が現在利用できないことを通知する。
【００４８】
接続パラメータマネージャー３０８は、形成する接続の適切なパラメータ、及びおそらく、既存の接続の調整可能なパラメータを判断した後に、その定義されたパラメータで接続を形成するか、又は既存の接続のパラメータを調整するためのコマンドメッセージを各々の無線特有エンティティへ送信する。これは、状態を更新すると共に、新たな接続のパラメータを無線レコード３０２に記憶する。又、接続パラメータマネージャー３０８は、新たな接続のパラメータ、並びに新たな接続の監視及び制御をスタートさせるコマンドを連続制御マネージャー３０６へ送信する。連続制御マネージャー３０６のファンクションは、以下に述べる。
【００４９】
上述した接続パラメータマネージャー３０８のファンクションは、１つの接続が形成されそして１つの既存の接続のパラメータがチェックされておそらく調整されるというシナリオで説明された。多数の接続が存在する場合にも手順は同様であり、そのパラメータを、新たな接続を形成するためにチェックし及び／又は調整する必要がある。接続パラメータマネージャー３０８の動作は、既存の接続の数に制限されない。
【００５０】
連続制御マネージャー３０６は、動作無線接続の特性を監視し、それらのパラメータを接続の性能又は接続に関する情報に基づいて調整する。連続制御マネージャー３０６のファンクションは、動作無線接続を、おそらく変化する無線環境に迅速に適応させることである。新たな接続が形成されるときに、連続制御マネージャー３０６は、接続に関連したパラメータと、新たな接続の監視及び制御をスタートさせるコマンドとを、接続パラメータマネージャー３０８から受け取る。連続制御マネージャー３０６は、次いで、接続の特性の監視をスタートさせる。接続の特性は、通信装置において測定されてもよいし、或いはサービングネットワークシステムにより測定されて、それに対応する無線特有のエンティティを通して連続制御マネージャー３０６へ配送されてもよい。
【００５１】
連続制御マネージャー３０６は、例えば、動作接続の性能尺度を監視することができる。このような性能尺度は、ＢＥＲ又はＦＥＲでよい。連続制御マネージャー３０６は、接続に関連した性能尺度が悪過ぎることを検出すると、その悪い性能が、ある無線リソースの使用に関連しているかどうかチェックする。例えば、Ｂｌｕｅｔｏｏｔｈ（登録商標）接続に関連しているときには、瞬間的に高いビットエラー率が、ある周波数ホップに関連していることがある。これは、動作ＷＬＡＮ接続がＢｌｕｅｔｏｏｔｈ（登録商標）接続と同じ帯域に部分的に存在し、そしてＷＬＡＮが動作している帯域への周波数ホップが悪い性能を招くときに生じ得る。悪い性能が、ある無線リソース（又は無線リソースの一部分）の使用に関連している場合には、連続制御マネージャー３０６は、その無線リソースが多数の接続により使用されないように、接続（１つ又は複数）のパラメータを調整することができる。例えば、Ｂｌｕｅｔｏｏｔｈ（登録商標）接続のパラメータは、接続の周波数ホッピングが、他の動作接続が存在しない狭い帯域に制限されるように、調整することができる。時間（又は空間）ドメイン無線リソースの使用を制御することは、もちろん、例えば、無線システムにより与えられる制約（ＧＳＭシステムでは各接続に割り当てられるタイムスロットのような）を考慮して、同様に実施される。
【００５２】
２つ（又はそれ以上）の接続に対して同じ無線リソースを使用する以外ない場合には、連続制御マネージャー３０６は、性能が低過ぎる１つ以上の接続のパラメータを調整することができる。調整されたパラメータは、拡散コード、チャンネルコード、変調技術、電力レベル、及び／又はタイミングパラメータを含む。接続（１つ又は複数）の性能が依然満足でない場合には、連続制御マネージャー３０６は、接続を一時的に遮断するか、或いは性能の悪い接続、又は性能の悪い接続に干渉する接続を終了させることもできる。
【００５３】
又、連続制御マネージャー３０６は、互いに干渉し得る接続の考えられる組み合わせについての事前情報を有してもよい。例えば、連続制御マネージャーは、Ｂｌｕｅｔｏｏｔｈ（登録商標）接続に性能低下を検出した場合には、動作ＷＬＡＮ接続が存在するかどうか自動的にチェックすることができる（又はその逆のことも言える）。というのは、それらの接続が互いに干渉し得るという情報を有しているからである。連続制御マネージャー３０６は、動作ＷＬＡＮ接続を検出すると、一方又は両方の接続のパラメータを調整することができる。連続制御マネージャー３０６は、パケットの送信をスケジューリングし、そして送信されるべきパケットのパラメータを変化させるという役割を果たすことができる。変化させることのできる考えられるパラメータは、パケット長さ、パケットにおけるデータ量、変調構成、チャンネルコード化構成、パケットの送信周波数／レート、及び／又はパケットのフォーマット（プリアンブル、ヘッダ、ペイロード、等）を含む。連続制御マネージャー３０６は、多数の接続のデータパケットの考えられる衝突を予想し、それに応じてスケジューリングを適応させることができる。従って、連続制御マネージャー３０６は、接続と接続との間の考えられる一致に関する情報を有すると共に、これらの状態に対しどのようにして素早く適応するかの定義された１組のルールも有することができる。
【００５４】
図４は、通信装置において無線接続を生成し、そして多数の無線接続の同時動作を構成する方法を示す。このプロセスは、４００において、通信装置に動作接続がない状態で開始する。４０２において、従来の手順に基づき第１の無線接続が生成される。新たな無線接続を生成する要求が４０４において受け取られる。この要求は、通信装置のアプリケーションから到来するか、又は外部インスタンス、例えば、無線ネットワークから到来する。
【００５５】
利用可能な無線リソースが４０６においてチェックされる。これは、形成する接続に対して指定された無線リソースをチェックすることを含む。利用可能な無線リソースとは、１つの無線リソース（周波数帯域、タイムスロット、空間）の少なくとも一部分が利用可能であることを意味する。新たな接続に使用のために指定された周波数帯域が使用されるが、２つ（又はそれ以上）の接続が同時に（又は同じ方向に）データを搬送しないようにそれら接続を動作させるよう構成することができる。
【００５６】
無線リソースが利用でき、既存の接続に使用されるものと同じ無線リソースを使用せずに新たな接続を形成できる場合には、プロセスは、４０８（任意）及び４１０へ進む。４０８は、接続が互いに干渉せずに新たな接続を形成するのに既存の無線接続のパラメータを調整しなければならない場合に実行される。別の接続と干渉しないパラメータを伴う新たな接続が４１０において形成される。
【００５７】
４０６において無線リソースが利用できない場合には、プロセスは４１２へ進み、そこで、既存の接続（１つ又は複数）に対して使用されるものと同じ無線リソースを全て少なくとも部分的に使用して別の接続を形成することができるかどうかチェックされる。これは、少なくとも２つの接続が同じ周波数で少なくとも部分的に動作し、同時にデータを少なくとも部分的に搬送し、且つ同じ方向に少なくとも部分的に搬送することを意味する。
【００５８】
別の無線接続の使用を阻止せずに別の接続を形成することが不可能である（既存の接続（１つ又は複数）のパラメータを調整しても）場合には、プロセスは、４１４へ進み、そこで、１つの無線接続がスタンバイ状態に入れられるか、又は終了される。スタンバイ状態に入れられるか又は終了される無線接続は、既存の接続でよいが、新たな無線接続の形成手順がキャンセルされてもよい。
【００５９】
４１２において、既存の接続（１つ又は複数）に使用されるものと同じ無線リソースを使用して別の接続を形成することができる場合には、プロセスは、４１６及び４１８（任意）へ進む。接続が干渉をある程度持続することが許されるパラメータをもつ新たな接続が４１６において形成される。既存の接続（１つ又は複数）のパラメータは、必要なときに、適宜に調整される。
このプロセスは、４２０で終了となる。
【００６０】
図５は、通信装置において多数の同時無線接続を制御するための手順を示す。
プロセスは、５００において開始する。５０２において、図４の手順に基づき多数の無線接続が形成される。５０４において、無線接続の特性が監視される。監視される特性は、接続の性能を表わす特性、例えば、ＢＥＲ又はＦＥＲを含む。５０６において、２つの接続が互いに干渉するかどうかチェックされる。２つの接続が互いに干渉することの検出は、少なくとも一方の接続の性能が急激に低下することと、同じ無線リソースを使用する別の接続（１つ又は複数）があるという情報との結合に基づいて行うことができる。
【００６１】
２つの接続が５０６において互いに干渉しない場合には、手順が５０４へ復帰し、接続の特性の監視を続ける。２つの接続が５０６において互いに干渉すると検出された場合には、プロセスは５０８へ進み、そこで、無線リソースがチェックされる。これは、互いに干渉する両接続の無線リソースをチェックすることを含む。無線リソースが利用でき、２つの接続が互いに干渉せずに動作できる場合には、プロセスは５１０から５１２へ進み、そこで、少なくとも一方の接続のパラメータを調整して、２つの接続が互いに干渉しないようにする。一方の接続のパラメータを調整することは、ある場合には充分であるが、互いに干渉する両方の接続のパラメータを調整する必要が生じることもある。５０６において干渉に含まれなかった他方の接続（１つ又は複数）のパラメータも、ある場合には、調整することが必要となる。これは、一方の接続のパラメータを調整すると、その調整された接続と別の接続との間に干渉が生じる状況である。又、これら２つの接続間の干渉を回避するように、前記別の接続のパラメータも同時に調整するように予防策が取られる。
【００６２】
プロセスは、５１２から５０４へ復帰し、通信装置において動作無線接続の特性の監視が続けられる。
【００６３】
２つの接続が同じ無線リソースを使用する以外、他の選択肢がない場合には、プロセスは５１０から５１４へ進み、そこで、２つの接続が同じ無線リソースを全て少なくとも部分的に使用して動作することができるかどうかチェックされる。これは、少なくとも２つの接続が同じ周波数で少なくとも部分的に動作し、同時にデータを少なくとも部分的に搬送し、且つ同じ方向に少なくとも部分的に搬送することを意味する。
【００６４】
２つの接続が５１４において同じ無線リソースを使用して動作することができる場合には、プロセスは５１２へ進み、そこで、一方の接続又は両方の接続がある程度干渉を持続するようにそれらのパラメータを調整し、これにより、同じ無線リソースを使用して２つの接続の動作を行えるようにする。プロセスは、５１２から５０４へ復帰し、通信装置において動作無線接続の特性の監視を続ける。
【００６５】
２つの接続が５１４において同じ無線リソースを使用して動作することができない場合には、プロセスは５１６へ進み、接続の一方がスタンバイ状態にされるか又は終了させられる。どちらの接続がスタンバイ状態にされ又は終了されるかの判断は、接続のプライオリティ又は性能のようなある基準に基づく。プライオリティの低い又は性能の悪い接続が終了させられる。プロセスは５１６から５０４へ復帰し、通信装置において動作無線接続の特性の監視が続けられる。
【００６６】
上述した形式の通信装置１００は、この方法を実施するのに使用できるが、他の形式の通信装置でも実施に適している。一実施形態では、コンピュータプログラム製品は、少なくとも１つの既存の無線接続をもつ通信装置において新たな無線接続を形成するための上述した方法のコンピュータプロセスを実行するインストラクションのコンピュータプログラムをエンコードする。別の実施形態では、コンピュータプログラム製品は、通信装置において多数の同時に動作する無線接続を制御するためのインストラクションのコンピュータプログラムをエンコードする。このコンピュータプログラム製品は、コンピュータプログラム配布媒体において実施することができる。コンピュータプログラム配布媒体は、ソフトウェアを配布するためのこの技術で知られた全てのやり方、例えば、コンピュータ読み取り可能な媒体、プログラム記憶媒体、記録媒体、コンピュータ読み取り可能なメモリ、コンピュータ読み取り可能なソフトウェア配布パッケージ、コンピュータ読み取り可能な信号、コンピュータ読み取り可能なテレコミュニケーション信号、及びコンピュータ読み取り可能な圧縮型ソフトウェアパッケージを含む。
【００６７】
添付図面に基づく一実施例を参照して本発明を以上に説明したが、本発明は、これに限定されるものではなく、特許請求の範囲内で多数の仕方で変更することができる。
【図面の簡単な説明】
【００６８】
【図１】多数の無線接続を使用する通信装置のブロック図である。
【図２】通信装置のアーキテクチャーの一実施例を示す図である。
【図３】多無線コントローラの構造の一実施例を示す図である。
【図４】動作接続が存在する間に通信装置に新たな接続を形成するプロセスを示すフローチャートである。
【図５】通信装置における多数の同時接続を制御するプロセスを示すフローチャートである。
【図１】
2008521309.tif 000003
【図２】
2008521309.tif 000004
【図３】
2008521309.tif 000005
【図４】
2008521309.tif 000006
【図５】
2008521309.tif 000007
【国際調査報告】
2008521309.tif 000008
2008521309.tif 000009
2008521309.tif 000010
2008521309.tif 000011